(57)【要約】洗濯機用制震装置及び引き出し式洗濯機であって、洗濯機用制震装置は、一端に第１接続構造（４４）を有するプランジャ（４７）と、内部に一端が開口した中空室を有し、前記プランジャ（４７）の他端が相対的に摺動可能に中空室内に嵌設され、中空室の開口とは反対側の一端に第２接続構造（５３）を有するスリーブ（５０）と、プランジャ（４７）の外部に覆設される第１制震バネ（４８）と、スリーブ（５０）の外部に覆設される第２制震バネ（５１）と、摺動可能にプランジャ（４７）／スリーブ（５０）の外部に覆設されるとともに、第１制震バネ（４８）と第２制震バネ（５１）の間に位置するスライドスリーブ（４９）、を含む。制震装置には支持制震方式を採用しており、第１制震バネ（４８）と第２制震バネ（５１）の制震調節によって制震効果を保証する。よって、引き出し式洗濯機の制震に適している。【選択図】図７
2021533921.tif 000002
【特許請求の範囲】
【請求項１】
洗濯機用制震装置であって、
一端に第１接続構造を有するプランジャ、
内部に一端が開口した中空室を有し、前記プランジャの他端が相対的に摺動可能に中空室内に嵌設され、中空室の開口とは反対側の一端に第２接続構造を有するスリーブ、
プランジャの外部に覆設される第１制震バネ、
スリーブの外部に覆設される第２制震バネ、及び
摺動可能に前記プランジャ／前記スリーブの外部に覆設されるとともに、第１制震バネと第２制震バネの間に位置するスライドスリーブ、を含むことを特徴とする洗濯機用制震装置。
【請求項２】
前記プランジャにおける第１接続構造寄りの一端には第１ブラケットが設置されており、前記スリーブにおける第２接続構造寄りの一端には第２ブラケットが設置されており、前記スライドスリーブは、周方向において外側に突出する位置規制凸部を有しており、前記第１制震バネは、一端が前記第１ブラケットに当止し、他端が前記位置規制凸部に当止し、前記第２制震バネは、一端が前記第２ブラケットに当止し、他端が前記位置規制凸部に当止することを特徴とする請求項１に記載の洗濯機用制震装置。
【請求項３】
前記プランジャにおける第１接続構造寄りの一端には位置規制突起が備わっており、前記第１ブラケットは環状のフランジであり、前記第１ブラケットの中心には位置規制凹溝が備わっており、前記第１ブラケットの位置規制凹溝が前記プランジャの位置規制突起と係合することで、第１ブラケットの位置規制及び装着が実現され、
前記第２ブラケットは、前記スリーブにおける第２接続構造寄りの一端の外周から外側に突出して形成される環状のフランジであることを特徴とする請求項２に記載の洗濯機用制震装置。
【請求項４】
前記第１制震バネと前記第２制震バネは異なる弾性係数を有し、
好ましくは、前記第１接続構造は被支持制震体に接続され、前記第２接続構造は固定支持体に接続され、前記第１制震バネの弾性係数は前記第２制震バネの弾性係数よりも小さいことを特徴とする請求項１に記載の洗濯機用制震装置。
【請求項５】
前記スリーブの中空室内にはスリーブ摩擦片が設置されており、前記プランジャの一端は、前記スリーブの中空室内に嵌設されて前記スリーブ摩擦片と接触を維持することを特徴とする請求項１に記載の洗濯機用制震装置。
【請求項６】
前記スリーブ摩擦片は環状の摩擦片であり、前記スリーブの中空室内には、軸方向に沿って複数の前記環状の摩擦片が均一に設置されていることを特徴とする請求項５に記載の洗濯機用制震装置。
【請求項７】
前記スライドスリーブ内には、前記プランジャ／前記スリーブの外壁と接触を維持するスライドスリーブ摩擦片が設置されていることを特徴とする請求項１に記載の洗濯機用制震装置。
【請求項８】
前記第１接続構造は前記プランジャの一端の端部に設けられる接続ネジであり、前記接続ネジとナットの連携によって前記プランジャが被支持制震体に固定接続され、
前記第２接続構造は前記スリーブの一端の端部に設けられる接続ネジであり、前記接続ネジとナットの連携によって前記スリーブが固定支持体に固定接続されることを特徴とする請求項１に記載の洗濯機用制震装置。
【請求項９】
前記第１制震バネと前記第２制震バネは、全体の高さを短縮するよう部分的に重なり合っていることを特徴とする請求項１に記載の洗濯機用制震装置。
【請求項１０】
前記スライドスリーブには、前記第１制震バネの一端を当止する第１位置規制部と、前記第２制震バネの一端を当止する第２位置規制部が備わっており、前記第１位置規制部は、前記第２制震バネの軸方向の高さ範囲内まで延伸しており、前記第２位置規制部は、前記第１制震バネの軸方向の高さ範囲内まで延伸していることを特徴とする請求項９に記載の洗濯機用制震装置。
【請求項１１】
前記第１制震バネは前記第２制震バネの上部に設置されており、第１位置規制部の高さは第２位置規制部の高さよりも低いことを特徴とする請求項９に記載の洗濯機用制震装置。
【請求項１２】
前記第１位置規制部は、前記スライドスリーブの中央部に設置されて前記第２制震バネの内部に向かって延伸するよう形成される位置規制室であり、前記第１制震バネの一端が前記位置規制室内に当止し、前記第２位置規制部は、位置規制室の開口の辺縁から周方向に延伸するよう形成される位置規制フランジであり、前記第２制震バネの一端が前記位置規制フランジに当止することを特徴とする請求項１０又は１１に記載の洗濯機用制震装置。
【請求項１３】
前記第１制震バネと前記第２制震バネは異なる弾性係数を有し、
好ましくは、前記第１制震バネの外径は前記第２制震バネの内径よりも小さく、
好ましくは、前記第１接続構造は被支持制震体に接続され、前記第２接続構造は固定支持体に接続され、前記第１制震バネの弾性係数は前記第２制震バネの弾性係数よりも小さいことを特徴とする請求項９に記載の洗濯機用制震装置。
【請求項１４】
前記プランジャとスリーブの中空室の開口は、間隔を隔てて設置されることを特徴とする請求項９に記載の洗濯機用制震装置。
【請求項１５】
前記プランジャのうち前記中空室の内部に位置する一端には摩擦片が設置されており、前記摩擦片は前記スリーブの中空室の内壁と接触を維持することを特徴とする請求項１４に記載の洗濯機用制震装置。
【請求項１６】
前記スライドスリーブ内には、前記プランジャ／前記スリーブの外壁と接触を維持するスライドスリーブ摩擦片が設置されていることを特徴とする請求項９に記載の洗濯機用制震装置。
【請求項１７】
洗濯機用制震装置であって、
一端に第１接続構造を有し、他端にスライドプラグを有するプランジャと、
内部に一端が開口した中空室を有し、前記プランジャのスライドプラグが相対的に摺動可能に前記中空室内に設置され、前記中空室の開口とは反対側の一端に第２接続構造を有するスリーブと、
前記中空室内に位置する前記プランジャの外部に覆設される第１制震バネと、
前記スリーブの中空室内に嵌装される第２制震バネ、を含み、
前記第１制震バネと前記第２制震バネは、それぞれ前記プランジャのスライドプラグの両側に位置していることを特徴とする洗濯機用制震装置。
【請求項１８】
前記スライドプラグは、前記プランジャのうち前記スリーブの中空室内に位置する一端の端部に設置され、前記スライドプラグは前記スリーブの中空室の内壁と摺接し、
前記第１制震バネは、前記中空室内に位置する前記プランジャの外部に覆設されており、一端が前記スリーブの中空室の内壁に当止するとともに、他端が前記スライドプラグの一方の側に当止し、
前記第２制震バネは、前記スリーブの中空室内に嵌装されており、一端が前記スリーブの中空室の内壁に当止するとともに、他端が前記スライドプラグの他方の側に当止することを特徴とする請求項１７に記載の洗濯機用制震装置。
【請求項１９】
前記プランジャは柱体を含み、前記柱体の一端の端部には前記第１接続構造が備わっており、他端には前記スライドプラグが接続されており、前記スリーブは、一端が開放された前記中空室を内部に有する筒体と、前記中空室の開放された開口を覆う蓋体を含み、前記蓋体の中央部には、前記プランジャの柱体を挿通するための挿通孔が備わっていることを特徴とする請求項１７又は１８に記載の洗濯機用制震装置。
【請求項２０】
前記柱体と前記挿通孔は間隔を隔てて設置されることを特徴とする請求項１９に記載の洗濯機用制震装置。
【請求項２１】
前記蓋体のうち前記スリーブの中空室内に位置する一方の側面には位置規制凹溝が備わっており、前記第１制震バネの一端が当該位置規制凹溝内に位置規制及び当止されることを特徴とする請求項１９に記載の洗濯機用制震装置。
【請求項２２】
前記第１接続構造は前記柱体の一端の端部に設けられる接続ネジであり、前記接続ネジとナットの連携によって前記プランジャが被支持制震体に固定接続され、
前記第２接続構造は前記スリーブの一端の端部に設けられる接続ネジであり、前記接続ネジとナットの連携によって前記スリーブが固定支持体に固定接続されることを特徴とする請求項１９に記載の洗濯機用制震装置。
【請求項２３】
前記スライドプラグの外周には、前記スリーブの中空室の内壁と接触を維持する摩擦片が設置されていることを特徴とする請求項１７に記載の洗濯機用制震装置。
【請求項２４】
前記第１制震バネと前記第２制震バネは異なる弾性係数を有し、
好ましくは、前記第１接続構造は被支持制震体に接続され、前記第２接続構造は固定支持体に接続され、前記第１制震バネの弾性係数は前記第２制震バネの弾性係数よりも小さいことを特徴とする請求項１７に記載の洗濯機用制震装置。
【請求項２５】
洗濯機用制震装置であって、
一端に第１接続構造を有するプランジャと、
内部に一端が開口した中空室を有し、前記プランジャの他端が相対的に摺動可能に前記中空室内に設置され、前記中空室の開口とは反対側の一端に第２接続構造を有するスリーブと、
前記プランジャの外部に覆設され、両端がそれぞれ前記プランジャ及び前記スリーブに当止する第１制震バネと、
前記スリーブの中空室内に嵌装される第２制震バネ、を含むことを特徴とする洗濯機用制震装置。
【請求項２６】
前記プランジャのうち前記スリーブの中空室内に位置する一端には前記スライドプラグが設置されており、
前記第２制震バネは、前記中空室内に位置する前記プランジャの外部に覆設されており、一端が前記スリーブの中空室の内壁に当止するとともに、他端が前記スライドプラグの一方の側に当止し、
及び／又は、前記第２制震バネは、前記スリーブの中空室内に嵌装されており、一端が前記スリーブの中空室の内壁に当止するとともに、他端が前記スライドプラグの他方の側に当止することを特徴とする請求項２５に記載の洗濯機用制震装置。
【請求項２７】
前記プランジャは柱体を含み、前記柱体の一端の端部には前記第１接続構造が備わっており、他端には前記スライドプラグが接続されており、前記スリーブは、一端が開放された前記中空室を内部に有する筒体と、前記中空室の開放された開口を覆う蓋体を含み、前記蓋体の中央部には、前記プランジャの柱体を挿通するための挿通孔が備わっていることを特徴とする請求項２６に記載の洗濯機用制震装置。
【請求項２８】
前記柱体と前記挿通孔は間隔を隔てて設置されることを特徴とする請求項２７に記載の洗濯機用制震装置。
【請求項２９】
前記スライドプラグの外周には、前記スリーブの中空室の内壁と接触を維持する摩擦片が設置されていることを特徴とする請求項２６〜２８のいずれか１項に記載の洗濯機用制震装置。
【請求項３０】
前記プランジャにおける前記第１接続構造寄りの一端には第１ブラケットが設置されており、前記スリーブにおける前記第２接続構造寄りの一端には第２ブラケットが設置されており、前記第１制震バネの一端は前記第１ブラケットに当止し、他端は前記第２ブラケットに当止することを特徴とする請求項２５に記載の洗濯機用制震装置。
【請求項３１】
前記プランジャにおける前記第１接続構造寄りの一端には位置規制突起が備わっており、前記第１ブラケットは環状のフランジであり、前記第１ブラケットの中心には位置規制凹溝が備わっており、前記第１ブラケットの位置規制凹溝が前記プランジャの位置規制突起と係合することで前記第１ブラケットの位置規制及び装着が実現され、
前記第２ブラケットは、前記スリーブにおける前記第２接続構造寄りの一端の外周から外側に突出して形成される環状のフランジであることを特徴とする請求項３０に記載の洗濯機用制震装置。
【請求項３２】
前記第１制震バネと前記第２制震バネは異なる弾性係数を有し、
好ましくは、前記第１接続構造は被支持制震体に接続され、前記第２接続構造は固定支持体に接続され、前記第１制震バネの弾性係数は前記第２制震バネの弾性係数よりも大きいことを特徴とする請求項２５に記載の洗濯機用制震装置。
【請求項３３】
請求項１〜３２のいずれか１項に記載の洗濯機用制震装置を備える引き出し式洗濯機であって、
ハウジング及び洗浄ユニットを含み、前記ハウジングの内部には収容室が備わっており、前記ハウジングの一方の側の側壁には開口が開設されており、前記洗浄ユニットは、前記ハウジングの内部の収容室内に装着されており、且つ、前記ハウジングの開口に対し押し入れ／引き出し可能であり、
前記洗浄ユニットは、装着フレームと、前記装着フレームに装着される洗浄槽アセンブリを含み、前記洗浄槽アセンブリは制震装置を介して前記装着フレーム内に支持されることを特徴とする引き出し式洗濯機。
【請求項３４】
前記洗浄槽アセンブリは、外槽と、回動可能に前記外槽内に設置される内槽を含み、前記装着フレームはベースを含み、前記外槽は制震装置を介して前記ベースに装着され、
好ましくは、前記外槽の外周には複数の制震突起が均一に設置されており、前記制震装置は前記制震突起とベースの間に装着されることを特徴とする請求項３３に記載の引き出し式洗濯機。
【請求項３５】
引き出し式洗濯機であって、
ハウジング及び洗浄ユニットを含み、前記ハウジングの内部には収容室が備わっており、前記ハウジングの一方の側の側壁には開口が開設されており、前記洗浄ユニットは、前記ハウジングの内部の収容室内に装着されており、且つ、前記ハウジングの開口に対し押し入れ／引き出し可能であることを特徴とする引き出し式洗濯機。
【請求項３６】
前記洗浄ユニットは、装着フレームと、前記装着フレームに装着される洗浄槽アセンブリを含み、前記装着フレームは、平行に対向して設けられる２つの側板を含み、前記２つの側板は、それぞれスライドレールを介して摺動可能に前記ハウジングの収容室の内側壁に接続されることを特徴とする請求項３５に記載の引き出し式洗濯機。
【請求項３７】
前記洗浄槽アセンブリは、外槽と、回動可能に外槽内に設置される内槽を含み、前記装着フレームはベースを含み、前記外槽は制震装置を介して前記ベースに装着され、
好ましくは、前記外槽の外周には複数の制震突起が均一に設置されており、前記制震装置は前記制震突起と前記ベースの間に装着されることを特徴とする請求項３６に記載の引き出し式洗濯機。
【請求項３８】
前記制震装置は、
一端に第１接続構造を有するプランジャ、
内部に一端が開口した中空室を有し、前記プランジャの他端が相対的に摺動可能に前記中空室内に嵌設され、前記中空室の開口とは反対側の一端に第２接続構造を有するスリーブ、
前記プランジャの外部に覆設される第１制震バネ、
前記スリーブの外部に覆設される第２制震バネ、及び
摺動可能に前記プランジャ／前記スリーブの外部に覆設されるとともに、前記第１制震バネと前記第２制震バネの間に位置するスライドスリーブ、を含むことを特徴とする請求項３７に記載の引き出し式洗濯機。
【請求項３９】
前記装着フレームは、外槽の開口を封止する上カバープレートを含み、前記上カバープレートには内槽に対応して出し入れ口が開設されており、前記出し入れ口には開放／閉止可能な扉が装着されており、前記上カバープレートには、衣類処理剤を投入するための衣類処理剤投入ケースが設けられていることを特徴とする請求項３７に記載の引き出し式洗濯機。
【請求項４０】
前記洗浄ユニットは前面板を含んでおり、前記前面板は、前記装着フレームに装着されており、且つ、前記洗浄ユニットを前記ハウジング内部の収容室に押し込んだあと前記収容室の開口を閉塞し、
好ましくは、前記前面板には操作パネルが設置され、前記操作パネルは前記前面板の上部に設置され、
好ましくは、前記前面板には取っ手が設置されることを特徴とする請求項３６〜３９のいずれか１項に記載の引き出し式洗濯機。
【請求項４１】
前記ハウジングには給水電磁弁が設置されており、前記給水電磁弁は給水管路を通じて前記洗浄ユニットと連通し、洗濯機は、前記洗浄ユニットを押し引きする過程で給水管路を保護するための第１連動保護体を含み、前記第１連動保護体は、一端が前記ハウジングに接続されており、他端が前記洗浄ユニットに接続されており、前記第１連動保護体の内部には前記給水管路を収容する収容経路が備わっており、
好ましくは、洗濯機は、操作パネルに電気供給するための電源コードを含み、電磁弁と前記操作パネルは接続コードを介して電気的に接続され、前記電源コード及び／又は前記接続コードは前記第１連動保護体内部の収容経路内に設置されていることを特徴とする請求項３６〜３９のいずれか１項に記載の引き出し式洗濯機。
【請求項４２】
前記洗浄ユニットには排水口が備わっており、前記排水口は、排水管路を通じて排水制御装置と連通し、洗濯機は、前記洗浄ユニットを押し引きする過程で排水管路を保護するための第２連動保護体を含み、前記第２連動保護体は、一端が前記ハウジングに接続されており、他端が前記洗浄ユニットに接続されており、前記第２連動保護体の内部には排水管路を収容する収容経路が備わっており、
好ましくは、洗濯機は外槽の底部に装着される駆動装置を含み、前記駆動装置と操作パネルは接続コードを介して電気的に接続され、前記接続コードは前記第２連動保護体内部の収容経路内に設置されていることを特徴とする請求項３６〜３９のいずれか１項に記載の引き出し式洗濯機。
【請求項４３】
前記ハウジングには、前記洗浄ユニットが前記収容室へ押し込まれて所定の位置に到達したか否かを感知する検出装置が装着されており、好ましくは、前記検出装置は光電センサスイッチ又はリードスイッチであることを特徴とする請求項３５に記載の引き出し式洗濯機。
【請求項４４】
前記洗浄ユニットにはドアロックが備わっており、前記ハウジングにはロックキャッチが設置されており、前記ドアロックと前記ロックキャッチは、前記洗浄ユニットが前記収容室に押し込まれたあとにロックされることを特徴とする請求項３５に記載の引き出し式洗濯機。
【請求項４５】
更に、両端がそれぞれ前記ハウジングと前記洗浄ユニットに接続される連動保護体を含み、前記連動保護体の内部には、前記洗浄ユニットと連通する水路及び／又は前記洗浄ユニットの電子部品に電気的に接続される電気回路を収容するための収容経路が備わっていることを特徴とする請求項３５に記載の引き出し式洗濯機。
【請求項４６】
前記連動保護体はケーブルドラッグチェーン構造をなしており、前記ケーブルドラッグチェーン構造の内部に前記収容経路が備わっており、前記水路又は前記電気回路は、前記ケーブルドラッグチェーン構造の内部の前記収容経路内に設置されていることを特徴とする請求項４５に記載の引き出し式洗濯機。
【請求項４７】
前記洗浄ユニットは貯水に用いられる外槽を含み、前記ハウジングには給水電磁弁が設置されており、前記給水電磁弁は給水管路を通じて前記洗浄ユニットと連通し、前記連動保護体は、前記洗浄ユニットを押し引きする過程で前記給水管路を保護するための第１連動保護体を含み、前記第１連動保護体の内部には前記給水管路を収容する収容経路が備わっていることを特徴とする請求項４５に記載の引き出し式洗濯機。
【請求項４８】
前記洗浄ユニットは装着フレームと前面板を含んでおり、前記前面板は、前記装着フレームに装着されており、且つ、前記洗浄ユニットを前記ハウジング内部の収容室に押し込んだあと前記収容室の開口を閉塞し、前記前面板には操作パネルが設置されており、
洗濯機は、前記操作パネルに電気供給するための電源コードを含み、前記電磁弁と前記操作パネルは接続コードを介して電気的に接続され、前記電源コード及び／又は前記接続コードは前記第１連動保護体内部の収容経路内に設置されていることを特徴とする請求項４７に記載の引き出し式洗濯機。
【請求項４９】
前記洗浄ユニットは貯水に用いられる外槽を含み、前記外槽の底には排水口が備わっており、前記排水口は排水管路を通じて排水制御装置と連通し、前記連動保護体は、前記洗浄ユニットを押し引きする過程で排水管路を保護するための第２連動保護体を含み、前記第２連動保護体の内部には前記排水管路を収容する収容経路が備わっていることを特徴とする請求項４５又は４７に記載の引き出し式洗濯機。
【請求項５０】
外槽の底部に装着される駆動装置を含み、前記駆動装置と操作パネルは接続コードを介して電気的に接続され、前記接続コードは前記第２連動保護体内部の収容経路内に設置されていることを特徴とする請求項４９に記載の引き出し式洗濯機。
【請求項５１】
前記ハウジングの収容室内には、前記連動保護体を予め定められた軌跡に従って動作させるよう案内する案内機構が設けられていることを特徴とする請求項４５〜５０のいずれか１項に記載の引き出し式洗濯機。
【請求項５２】
前記案内機構は、前記洗浄ユニットの引き出し方向に設置されるガイドレールであり、前記ガイドレールには案内溝が備わっており、前記連動保護体はケーブルドラッグチェーンであり、前記ケーブルドラッグチェーンは、一端が前記ハウジングに固定装着され、他端にガイドポストが接続され、前記ガイドポストは、摺動可能にガイドレールの案内溝内に設置されて、前記洗浄ユニットの押し引きに伴い直線状に往復運動することを特徴とする請求項５１に記載の引き出し式洗濯機。
【請求項５３】
前記連動保護体は、可撓性材料からなる弾性の管状構造をなしており、前記管状構造の内部に収容経路が備わっており、前記水路又は前記電気回路は、ケーブルドラッグチェーン構造の内部の収容経路内に設置されていることを特徴とする請求項４５に記載の引き出し式洗濯機。
【請求項５４】
前記連動保護体は伸縮管構造をなしており、前記伸縮管構造の内部に収容経路が備わっており、前記水路又は前記電気回路は、ケーブルドラッグチェーン構造の内部の収容経路内に設置されていることを特徴とする請求項４５に記載の引き出し式洗濯機。
【発明の詳細な説明】
【技術分野】
【０００１】
本発明は衣類洗浄機器の技術分野に関し、具体的には、洗濯機用制震装置及び引き出し式洗濯機に関する。
【背景技術】
【０００２】
洗濯機は、最も広く利用されている家電製品として、人々の生活において重要な地位を占めている。しかし、社会の発展と進歩に伴い、洗濯機の使用体験に対する要求は高まる一方であり、衣類の種類やユーザニーズの違いに応じて分別洗いすることが一つの傾向になりつつある。ところが、家のスペースや洗濯機関連機器の制約から、全ての家庭に２台目ないしは３台目の洗濯機を設置できるとは限らない。そこで、ユーザの分別洗いニーズをより良好に満たすために、如何にして従来の洗濯機の構造を改良するかが、早急に解決を要する技術的課題となっている。
【０００３】
上記の課題を解決すべく、これまでに、出願番号を２０１３１０２９０１４７．４、出願日を２０１３年７月９日、発明の名称をダブルドラム洗濯機とする中国の発明特許が存在している（特許文献１）。当該発明は、洗濯機フレームと、フレーム内に装着される第１外槽及び第２外槽を含むダブルドラム洗濯機を開示している。第１外槽と第２外槽には、カウンタウェイトを装着するためのカウンタウェイト装着ポストが一体的に設けられている。前記第１外槽と第２外槽は接続部材によって一体的に接続されており、接続部材は第１外槽及び／又は第２外槽上のカウンタウェイト装着ポストに固定接続されている。当該発明では、接続部材によって第１外槽と第２外槽を一体構造となるよう接続することで、洗濯機のコンパクト性を効果的に高めている。また、接続部材を第１外槽又は第２外槽上のカウンタウェイト装着ポストによって固定装着及び接続することで、安定性を強化するとともに、接続部材によって第１外槽と第２外槽に共用のカウンタウェイトを提供している。このほか、第１外槽と第２外槽は共用のカウンタウェイトを使用しており、更には、洗濯機の第１外槽又は第２外槽を第２外槽又は第１外槽の少なくとも一部のカウンタウェイトとしている。これにより、洗濯機における２つの回転槽の制震効果を際立たせるとともに、生産コストを低下させている。
【０００４】
上記の発明では、ダブルドラム洗濯機を提供することで、洗濯機における分別洗いの問題を解決している。しかし、パルセータ洗濯機を使い慣れたユーザにしてみれば、パルセータ洗濯機はトップオープン方式であるとの制約から、２つのパルセータ洗濯機を上下に重ねて設置することで上記の課題を解決することは不可能である。また、パルセータ洗濯機のトップオープン方式は、設置スペースについても一定の高さを有することが求められる。
【０００５】
以上に鑑みて、如何にしてパルセータ洗濯機の構造形式を改良し、設置占有スペースを縮小するか、及び、パルセータ洗濯機を上下に重ねて設置する複合式構造を如何にして実現するかを、本発明において主に解決する技術的課題とする。
【先行技術文献】
【特許文献】
【０００６】
【特許文献１】中国特許出願第２０１３１０２９０１４７．４号明細書
【発明の概要】
【発明が解決しようとする課題】
【０００７】
上記の課題を解決するために、本発明の第１の目的は、洗濯機用制震装置を提供することである。具体的には、以下の技術方案を用いる。
【課題を解決するための手段】
【０００８】
洗濯機用制震装置であって、一端に第１接続構造を有するプランジャと、内部に一端が開口した中空室を有し、前記プランジャの他端が相対的に摺動可能に中空室内に嵌設され、中空室の開口とは反対側の一端に第２接続構造を有するスリーブと、プランジャの外部に覆設される第１制震バネと、スリーブの外部に覆設される第２制震バネと、摺動可能にプランジャ／スリーブの外部に覆設されるとともに、第１制震バネと第２制震バネの間に位置するスライドスリーブ、を含む。
【０００９】
更に、前記プランジャにおける第１接続構造寄りの一端には第１ブラケットが設置されており、前記スリーブにおける第２接続構造寄りの一端には第２ブラケットが設置されている。前記スライドスリーブは、周方向において外側に突出する位置規制凸部を有している。前記第１制震バネは、一端が第１ブラケットに当止し、他端が位置規制凸部に当止する。前記第２制震バネは、一端が第２ブラケットに当止し、他端が位置規制凸部に当止する。
【００１０】
更に、前記プランジャにおける第１接続構造寄りの一端には位置規制突起が備わっている。第１ブラケットは環状のフランジであり、第１ブラケットの中心には位置規制凹溝が備わっている。第１ブラケットの位置規制凹溝がプランジャの位置規制突起と係合することで、第１ブラケットの位置規制及び装着が実現される。
【００１１】
前記第２ブラケットは、スリーブにおける第２接続構造寄りの一端の外周から外側に突出して形成される環状のフランジである。
【００１２】
更に、前記第１制震バネと第２制震バネは異なる弾性係数を有している。
【００１３】
好ましくは、前記第１接続構造は被支持制震体に接続され、前記第２接続構造は固定支持体に接続される。前記第１制震バネの弾性係数は第２制震バネの弾性係数よりも小さい。
【００１４】
更に、前記スリーブの中空室内にはスリーブ摩擦片が設置されており、前記プランジャの一端は、スリーブの中空室内に嵌設されてスリーブ摩擦片と接触を維持する。
【００１５】
更に、前記スリーブ摩擦片は環状の摩擦片である。前記スリーブの中空室内には、軸方向に沿って複数の環状の摩擦片が均一に設置されている。
【００１６】
更に、前記スライドスリーブ内には、プランジャ／スリーブの外壁と接触を維持するスライドスリーブ摩擦片が設置されている。
【００１７】
更に、前記第１接続構造はプランジャの一端の端部に設けられる接続ネジであり、接続ネジとナットの連携によってプランジャが被支持制震体に固定接続される。
【００１８】
前記第２接続構造はスリーブの一端の端部に設けられる接続ネジであり、接続ネジとナットの連携によってスリーブが固定支持体に固定接続される。
【００１９】
更に、前記第１制震バネと第２制震バネは、全体の高さを短縮するよう部分的に重なり合っている。
【００２０】
更に、前記スライドスリーブには、第１制震バネの一端を当止する第１位置規制部と、第２制震バネの一端を当止する第２位置規制部が備わっている。前記第１位置規制部は、第２制震バネの軸方向の高さ範囲内まで延伸しており、前記第２位置規制部は、第１制震バネの軸方向の高さ範囲内まで延伸している。
【００２１】
更に、前記第１制震バネは第２制震バネの上部に設置されており、前記第１位置規制部の高さは第２位置規制部の高さよりも低い。
【００２２】
更に、前記第１位置規制部は、スライドスリーブの中央部に設置されて第２制震バネの内部に向かって延伸するよう形成される位置規制室であり、前記第１制震バネの一端が前記位置規制室内に当止する。前記第２位置規制部は、位置規制室の開口の辺縁から周方向に延伸するよう形成される位置規制フランジであり、前記第２制震バネの一端が前記位置規制フランジに当止する。
【００２３】
更に、前記第１制震バネと第２制震バネは異なる弾性係数を有する。
【００２４】
好ましくは、前記第１制震バネの外径は第２制震バネの内径よりも小さい。
【００２５】
好ましくは、前記第１接続構造は被支持制震体に接続され、前記第２接続構造は固定支持体に接続される。前記第１制震バネの弾性係数は第２制震バネの弾性係数よりも小さい。
【００２６】
更に、前記プランジャとスリーブの中空室の開口は間隔を隔てて設置される。
【００２７】
更に、前記プランジャのうち中空室の内部に位置する一端には摩擦片が設置されている。前記摩擦片はスリーブの中空室の内壁と接触を維持する。
【００２８】
更に、前記スライドスリーブ内には、プランジャ／スリーブの外壁と接触を維持するスライドスリーブ摩擦片が設置されている。
【００２９】
本発明の第２の目的は、洗濯機用制震装置を提供することである。具体的には、以下の技術方案を用いる。
【００３０】
洗濯機用制震装置は、一端に第１接続構造を有し、他端にスライドプラグを有するプランジャと、内部に一端が開口した中空室を有し、前記プランジャのスライドプラグが相対的に摺動可能に中空室内に設置され、中空室の開口とは反対側の一端に第２接続構造を有するスリーブと、中空室内に位置するプランジャの外部に覆設される第１制震バネと、スリーブの中空室内に嵌装される第２制震バネ、を含む。第１制震バネと第２制震バネは、それぞれプランジャのスライドプラグの両側に位置している。
【００３１】
更に、前記スライドプラグは、プランジャのうちスリーブの中空室内に位置する一端の端部に設置されている。スライドプラグは、スリーブの中空室の内壁と摺接する。
【００３２】
前記第１制震バネは、中空室内に位置するプランジャの外部に覆設されており、一端がスリーブの中空室の内壁に当止するとともに、他端がスライドプラグの一方の側に当止する。
【００３３】
前記第２制震バネは、スリーブの中空室内に嵌装されており、一端がスリーブの中空室の内壁に当止するとともに、他端がスライドプラグの他方の側に当止する。
【００３４】
更に、前記プランジャは柱体を含む。柱体の一端の端部には第１接続構造が備わっており、他端にはスライドプラグが接続されている。前記スリーブは、一端が開放された中空室を内部に有する筒体と、中空室の開放された開口を覆う蓋体を含む。前記蓋体の中央部には、プランジャの柱体を挿通するための挿通孔が備わっている。
【００３５】
更に、前記柱体と前記挿通孔は間隔を隔てて設置される。
【００３６】
更に、前記蓋体のうちスリーブの中空室内に位置する一方の側面には位置規制凹溝が備わっており、前記第１制震バネの一端が当該位置規制凹溝内に位置規制及び当止される。
【００３７】
更に、前記第１接続構造は柱体の一端の端部に設けられる接続ネジであり、接続ネジとナットの連携によってプランジャが被支持制震体に固定接続される。
【００３８】
前記第２接続構造はスリーブの一端の端部に設けられる接続ネジであり、接続ネジとナットの連携によってスリーブが固定支持体に固定接続される。
【００３９】
更に、前記スライドプラグの外周には、スリーブの中空室の内壁と接触を維持する摩擦片が設置されている。
【００４０】
更に、前記第１制震バネと第２制震バネは異なる弾性係数を有する。
【００４１】
好ましくは、前記第１接続構造は被支持制震体に接続され、前記第２接続構造は固定支持体に接続される。前記第１制震バネの弾性係数は第２制震バネの弾性係数よりも小さい。
【００４２】
本発明の第３の目的は、洗濯機用制震装置を提供することである。具体的には、以下の技術方案を用いる。
【００４３】
洗濯機用制震装置は、一端に第１接続構造を有するプランジャと、内部に一端が開口した中空室を有し、前記プランジャの他端が相対的に摺動可能に中空室内に設置され、中空室の開口とは反対側の一端に第２接続構造を有するスリーブと、プランジャの外部に覆設され、両端がそれぞれプランジャ及びスリーブに当止する第１制震バネと、スリーブの中空室内に嵌装される第２制震バネ、を含む。
【００４４】
更に、前記プランジャのうち前記スリーブの中空室内に位置する一端にはスライドプラグが設置されている。
【００４５】
前記第２制震バネは、中空室内に位置するプランジャの外部に覆設されており、一端がスリーブの中空室の内壁に当止するとともに、他端がスライドプラグの一方の側に当止する。
【００４６】
及び／又は、前記第２制震バネは、スリーブの中空室内に嵌装されており、一端がスリーブの中空室の内壁に当止するとともに、他端がスライドプラグの他方の側に当止する。
【００４７】
更に、前記プランジャは柱体を含む。柱体の一端の端部には第１接続構造が備わっており、他端にはスライドプラグが接続されている。前記スリーブは、一端が開放された中空室を内部に有する筒体と、中空室の開放された開口を覆う蓋体を含む。前記蓋体の中央部には、プランジャの柱体を挿通するための挿通孔が備わっている。
【００４８】
更に、前記柱体と前記挿通孔は間隔を隔てて設置される。
【００４９】
更に、前記スライドプラグの外周には、スリーブの中空室の内壁と接触を維持する摩擦片が設置されている。
【００５０】
更に、前記プランジャにおける第１接続構造寄りの一端には第１ブラケットが設置されており、前記スリーブにおける第２接続構造寄りの一端には第２ブラケットが設置されている。前記第１制震バネの一端は第１ブラケットに当止し、他端は第２ブラケットに当止する。
【００５１】
更に、前記プランジャにおける第１接続構造寄りの一端には位置規制突起が備わっている。第１ブラケットは環状のフランジであり、第１ブラケットの中心には位置規制凹溝が備わっている。第１ブラケットの位置規制凹溝がプランジャの位置規制突起と係合することで第１ブラケットの位置規制及び装着が実現される。
【００５２】
前記第２ブラケットは、スリーブにおける第２接続構造寄りの一端の外周から外側に突出して形成される環状のフランジである。
【００５３】
更に、前記第１制震バネと第２制震バネは異なる弾性係数を有する。
【００５４】
好ましくは、前記第１接続構造は被支持制震体に接続され、前記第２接続構造は固定支持体に接続される。前記第１制震バネの弾性係数は第２制震バネの弾性係数よりも大きい。
【００５５】
本発明の第４の目的は、引き出し式洗濯機を提供することである。具体的には、以下の技術方案を用いる。
【００５６】
引き出し式洗濯機であって、ハウジング及び洗浄ユニットを含む。前記ハウジングの内部には収容室が備わっており、ハウジングの一方の側の側壁には開口が開設されている。前記洗浄ユニットは、ハウジングの内部の収容室内に装着されており、且つ、ハウジングの開口に対し押し入れ／引き出し可能である。
【００５７】
前記洗浄ユニットは、装着フレームと、装着フレームに装着される洗浄槽アセンブリを含む。前記洗浄槽アセンブリは、制震装置を介して装着フレーム内に支持される。
【００５８】
更に、前記洗浄槽アセンブリは、外槽と、回動可能に外槽内に設置される内槽を含む。前記装着フレームはベースを含み、前記外槽は制震装置を介してベースに装着される。
【００５９】
好ましくは、前記外槽の外周には複数の制震突起が均一に設置されており、前記制震装置は制震突起とベースの間に装着される。
【００６０】
本発明の第５の目的は、引き出し式洗濯機を提供することである。具体的には、以下の技術方案を用いる。
【００６１】
引き出し式洗濯機であって、ハウジング及び洗浄ユニットを含む。前記ハウジングの内部には収容室が備わっており、ハウジングの一方の側の側壁には開口が開設されている。前記洗浄ユニットは、ハウジングの内部の収容室内に装着されており、且つ、ハウジングの開口に対し押し入れ／引き出し可能である。
【００６２】
更に、前記洗浄ユニットは、装着フレームと、装着フレームに装着される洗浄槽アセンブリを含む。前記装着フレームは、平行に対向して設けられる２つの側板を含み、２つの側板は、それぞれスライドレールを介して摺動可能にハウジングの収容室の内側壁に接続される。
【００６３】
更に、前記洗浄槽アセンブリは、外槽と、回動可能に外槽内に設置される内槽を含む。前記装着フレームはベースを含み、前記外槽は制震装置を介してベースに装着される。
【００６４】
好ましくは、前記外槽の外周には複数の制震突起が均一に設置されており、前記制震装置は制震突起とベースの間に装着される。
【００６５】
更に、前記制震装置は、一端に第１接続構造を有するプランジャと、内部に一端が開口した中空室を有し、前記プランジャの他端が相対的に摺動可能に中空室内に嵌設され、中空室の開口とは反対側の一端に第２接続構造を有するスリーブと、プランジャの外部に覆設される第１制震バネと、スリーブの外部に覆設される第２制震バネと、摺動可能にプランジャ／スリーブの外部に覆設されるとともに、第１制震バネと第２制震バネの間に位置するスライドスリーブ、を含む。
【００６６】
更に、前記装着フレームは、外槽の開口を封止する上カバープレートを含む。上カバープレートには内槽に対応して出し入れ口が開設されており、出し入れ口には開放／閉止可能な扉が装着されている。前記上カバープレートには、衣類処理剤を投入するための衣類処理剤投入ケースが設けられている。
【００６７】
更に、前記洗浄ユニットは前面板を含んでいる。前面板は、装着フレームに装着されており、且つ、洗浄ユニットをハウジング内部の収容室に押し込んだあと収容室の開口を閉塞する。
【００６８】
好ましくは、前記前面板には操作パネルが設置される。前記操作パネルは前面板の上部に設置されている。
【００６９】
好ましくは、前記前面板には取っ手が設置される。
【００７０】
更に、前記ハウジングには給水電磁弁が設置されている。給水電磁弁は給水管路を通じて洗浄ユニットと連通する。前記洗濯機は、洗浄ユニットを押し引きする過程で給水管路を保護するための第１連動保護体を含む。第１連動保護体は、一端がハウジングに接続されており、他端が洗浄ユニットに接続されている。第１連動保護体の内部には、給水管路を収容する収容経路が備わっている。
【００７１】
好ましくは、洗濯機は、操作パネルに電気供給するための電源コードを含み、前記電磁弁と操作パネルは接続コードを介して電気的に接続される。前記電源コード及び／又は接続コードは第１連動保護体内部の収容経路内に設置されている。
【００７２】
更に、前記洗浄ユニットには排水口が備わっている。排水口は、排水管路を通じて排水制御装置と連通する。前記洗濯機は、洗浄ユニットを押し引きする過程で排水管路を保護するための第２連動保護体を含む。第２連動保護体は、一端がハウジングに接続されており、他端が洗浄ユニットに接続されている。第２連動保護体の内部には、排水管路を収容する収容経路が備わっている。
【００７３】
好ましくは、洗濯機は外槽の底部に装着される駆動装置を含む。前記駆動装置と操作パネルは接続コードを介して電気的に接続され、前記接続コードは第２連動保護体内部の収容経路内に設置されている。
【００７４】
更に、前記ハウジングには、洗浄ユニットが収容室へ押し込まれて所定の位置に到達したか否かを感知する検出装置が装着されている。
【００７５】
好ましくは、前記検出装置は光電センサスイッチ又はリードスイッチである。
【００７６】
更に、前記洗浄ユニットにはドアロックが備わっており、前記ハウジングにはロックキャッチが設置されている。前記ドアロックとロックキャッチは、洗浄ユニットが収容室に押し込まれたあとにロックされる。
【００７７】
更に、両端がそれぞれハウジングと洗浄ユニットに接続される連動保護体を含む。連動保護体の内部には、洗浄ユニットと連通する水路及び／又は洗浄ユニットの電子部品に電気的に接続される電気回路を収容するための収容経路が備わっている。
【００７８】
更に、前記連動保護体はケーブルドラッグチェーン構造をなしている。ケーブルドラッグチェーン構造の内部に収容経路が備わっており、前記水路又は電気回路は、ケーブルドラッグチェーン構造の内部の収容経路内に設置されている。
【００７９】
更に、前記洗浄ユニットは、貯水に用いられる外槽を含む。前記ハウジングには給水電磁弁が設置されており、給水電磁弁は給水管路を通じて洗浄ユニットと連通する。前記連動保護体は、洗浄ユニットを押し引きする過程で給水管路を保護するための第１連動保護体を含む。第１連動保護体の内部には、給水管路を収容する収容経路が備わっている。
【００８０】
更に、前記洗浄ユニットは、装着フレームと前面板を含んでいる。前面板は、装着フレームに装着されており、且つ、洗浄ユニットをハウジング内部の収容室に押し込んだあと収容室の開口を閉塞する。前記前面板には操作パネルが設置されている。
【００８１】
洗濯機は、操作パネルに電気供給するための電源コードを含む。前記電磁弁と操作パネルは接続コードを介して電気的に接続され、前記電源コード及び／又は接続コードは第１連動保護体内部の収容経路内に設置されている。
【００８２】
更に、前記洗浄ユニットは貯水に用いられる外槽を含む。外槽の底には排水口が備わっており、排水口は排水管路を通じて排水制御装置と連通する。前記連動保護体は、洗浄ユニットを押し引きする過程で排水管路を保護するための第２連動保護体を含む。第２連動保護体の内部には排水管路を収容する収容経路が備わっている。
【００８３】
更に、外槽の底部に装着される駆動装置を含む。前記駆動装置と操作パネルは接続コードを介して電気的に接続される。前記接続コードは第２連動保護体内部の収容経路内に設置されている。
【００８４】
更に、前記ハウジングの収容室内には、連動保護体を予め定められた軌跡に従って動作させるよう案内する案内機構が設けられている。
【００８５】
更に、前記案内機構は、洗浄ユニットの引き出し方向に設置されるガイドレールである。前記ガイドレールには案内溝が備わっている。前記連動保護体はケーブルドラッグチェーンである。ケーブルドラッグチェーンは、一端がハウジングに固定装着され、他端にガイドポストが接続される。前記ガイドポストは、摺動可能にガイドレールの案内溝内に設置されて、洗浄ユニットの押し引きに伴い直線状に往復運動する。
【００８６】
更に、前記連動保護体は、可撓性材料からなる弾性の管状構造をなしており、管状構造の内部に収容経路が備わっている。前記水路又は電気回路は、ケーブルドラッグチェーン構造の内部の収容経路内に設置されている。
【００８７】
更に、前記連動保護体は伸縮管構造をなしており、伸縮管構造の内部に収容経路が備わっている。前記水路又は電気回路は、ケーブルドラッグチェーン構造の内部の収容経路内に設置されている。
【発明の効果】
【００８８】
本発明の制震装置は、第１制震バネと第２制震バネを含んでおり、小さな衝撃を受けた場合には、第１制震バネが圧縮されて制震調節を行う。また、大きな衝撃を受けた場合には、第１制震バネと第２制震バネが共に圧力を受けて制震調節を行う。本発明の制震装置には支持制震方式を採用しており、第１制震バネと第２制震バネの制震調節によって制震効果を保証する。
【００８９】
本発明の制震装置には支持制震方式を採用しており、第１制震バネと第２制震バネが直列に接続されて制震調節を行うことで制震効果を保証する。
【００９０】
本発明の引き出し式洗濯機は、従来のパルセータ洗濯機におけるトップオープン方式を引き出し式に変更している。これにより、設置スペースに対する要求が低下するため、設置可能位置が一段と広がる。例えば、洗面台の下や上、或いは壁面ラック等の任意の位置に設置可能となる。また、従来のパルセータ洗濯機と上下に重ねて設置して一体的な複合式構造としたり、２つの引き出し式洗濯機を上下に重ねて設置して一体的な複合式構造としたりすることも可能である。よって、ユーザによる洗濯機タイプの選択や衣類の分別洗いの選択にいっそう良好に応えられる。
【００９１】
本発明の引き出し式洗濯機では、洗浄ユニットを度々押し込んだり引き出したりして衣類の出し入れを行う必要がある。そのため、洗浄ユニットと連通する水路、及び／又は、洗浄ユニットの電子部品に電気的に接続される電気回路が引き出し過程で損傷しないよう保証するために、本発明では、内部に収容経路を有する連動保護体を採用する。連動保護体は、洗浄ユニットの押し引き過程に伴い連動することで、洗浄ユニットと連通する水路、及び／又は、洗浄ユニットの電子部品に電気的に接続される電気回路の接続の安定性を保証する。
【図面の簡単な説明】
【００９２】
【図１】図１は、本発明における実施例１、実施例２の引き出し式洗濯機の正面図である。
【図２】図２は、本発明における実施例１、実施例２の引き出し式洗濯機の側面図である。
【図３】図３は、本発明における実施例１、実施例２の引き出し式洗濯機の側面図である（洗浄ユニットが開状態）。
【図４】図４は、本発明における実施例１、実施例２の引き出し式洗濯機の立体構造を示す図である。
【図５】図５は、本発明の実施例１、実施例２の引き出し式洗濯機の図１におけるＡ−Ａ面に沿った断面図である。
【図６】図６は、本発明の実施例１、実施例２の引き出し式洗濯機の図１におけるＢ−Ｂ面に沿った断面図である。
【図７】図７は、本発明における実施例１、実施例２の引き出し式洗濯機の立体構造を示す図である（ハウジングの天板と側板を省略した場合、且つ洗浄ユニットが閉状態）。
【図８】図８は、本発明における実施例１、実施例２の引き出し式洗濯機の立体構造を示す図である（ハウジングの天板と側板を省略した場合、且つ洗浄ユニットが開状態）。
【図９】図９は、本発明の実施例３における制震装置の立体機構を示す図である。
【図１０】図１０は、本発明の実施例３における制震装置の正面図である。
【図１１】図１１は、本発明の実施例３における制震装置の図１０のＣ−Ｃ面に沿った断面図である（実施形態１）。
【図１２】図１２は、本発明の実施例３における制震装置の図１０のＣ−Ｃ面に沿った断面図である（実施形態２）。
【図１３】図１３は、本発明の実施例３における制震装置の平面図である。
【図１４】図１４は、本発明の実施例４における制震装置の立体機構を示す図である。
【図１５】図１５は、本発明の実施例４における制震装置の正面図である。
【図１６】図１６は、本発明の実施例４における制震装置の図１５のＤ−Ｄ面に沿った断面図である（実施形態１）。
【図１７】図１７は、本発明の実施例４における制震装置の図１５のＤ−Ｄ面に沿った断面図である（実施形態２）。
【図１８】図１８は、本発明の実施例５における制震装置の立体機構を示す図である。
【図１９】図１９は、本発明の実施例５における制震装置の正面図である。
【図２０】図２０は、本発明の実施例５における制震装置の図１９のＥ−Ｅ面に沿った断面図である。
【図２１】図２１は、本発明の実施例６における制震装置の立体機構を示す図である。
【図２２】図２２は、本発明の実施例６における制震装置の正面図である。
【図２３】図２３は、本発明の実施例６における制震装置の図２２のＦ−Ｆ面に沿った断面図である。
【発明を実施するための形態】
【００９３】
以下に、図面を組み合わせて、本発明における洗濯機用制震装置及び引き出し式洗濯機について詳細に述べる。
【実施例１】
【００９４】
図１〜図８に示すように、本実施例の引き出し式洗濯機はハウジング５と洗浄ユニットを含む。前記ハウジング５の内部には収容室が備わっており、ハウジング５の一方の側の側壁には開口が開設されている。前記洗浄ユニットはハウジング５の内部の収容室内に装着されており、且つ、ハウジングの開口に対し押し入れ／引き出し可能である。
【００９５】
本実施例の引き出し式洗濯機は、従来のパルセータ洗濯機におけるトップオープン方式を引き出し式に変更している。これにより、設置スペースに対する要求が低下するため、設置可能位置が一段と広がる。例えば、洗面台の下や上、或いは壁面ラック等の任意の位置に設置可能となる。また、従来のパルセータ洗濯機と上下に重ねて設置して一体的な複合式構造としたり、２つの引き出し式洗濯機を上下に重ねて設置して一体的な複合式構造としたりすることも可能である。よって、ユーザによる洗濯機タイプの選択や衣類の分別洗いの選択にいっそう良好に応えられる。
【００９６】
従って、従来のパルセータ洗濯機とは異なり、本発明の引き出し式洗濯機は、十分にスペースを活用することでユーザに複数の洗浄スペースを提供し、分別洗いニーズを満たすことが可能である。
【００９７】
更に、本実施例の前記洗浄ユニットは、装着フレーム１１と、装着フレームに装着される洗浄槽アセンブリを含む。前記装着フレーム１１は、平行に対向して設けられる２つの側板を含む。２つの側板は、それぞれスライドレールを介して摺動可能にハウジングの収容室の内側壁に接続される。
【００９８】
本実施例のスライドレールは内レール９及び外レール４１を含む。内レール９は装着フレーム１１にしっかりと固定されており、装着フレーム１１には内レール装着ポスト１０が設けられている。また、外レール４１はハウジングにしっかりと固定されており、ハウジング５の底部には外レール固定支持フレーム３５が設けられている。
【００９９】
本実施例の内レール９と外レール４１は、摺擦するよう動作してもよいし、これらの間にローラやボール、ギヤを設置することで円滑に押し引き可能とし、耐荷重を大きくしてもよい。なお、言うまでもなく、ダンピンググリース等の減衰構造を設置して減衰を実現してもよい。この場合には、引き出しを力強く押し込んだ場合でも滑らかに閉まるため、動きの万全性及び静寂性が保証される。
【０１００】
更に、本実施例の洗浄槽アセンブリは、外槽２０と、回動可能に外槽２０内に設置される内槽２１を含む。前記装着フレーム１１はベースを含み、前記外槽２０は制震装置３６を介してベースに装着される。
【０１０１】
好ましくは、前記外槽２０の外周には複数の制震突起３４が均一に設置されており、前記制震装置３６が制震突起３４とベースの間に装着される。本実施例における引き出し式洗濯機は、自身の構造的特性に支持制震方式の制震装置３６を組み合わせている。よって、引き出し式洗濯機の全体高さをいっそう有利に低下させることができ、且つ制震の安定性も保証される。
【０１０２】
更に、本実施例の外槽２０の底部にはモータ２２が備わっており、伝動軸２３を通じて内槽２１又はパルセータを回転駆動させる。
【０１０３】
更に、本実施例で記載する装着フレーム１１は、外槽の開口を封止する上カバープレート１６を含んでいる。上カバープレート１６には、内槽２１に対応して出し入れ口が開設されており、出し入れ口に開放／閉止可能な扉１５が装着されている。また、前記上カバープレート１６には、衣類処理剤を投入するための衣類処理剤投入ケースが設けられている。
【０１０４】
本実施例では、装着フレームの上部に上カバープレート１６を設置しているため見栄えがよい。また、扉１５は、回転軸１４により回転させることで開放し、衣類を出し入れ可能に設置している。
【０１０５】
更に、前記洗浄ユニットは前面板３を含んでいる。前面板３は装着フレーム１１に装着されており、洗浄ユニットをハウジング内部の収容室に押し込んだあと、収容室の開口を閉塞する。
【０１０６】
好ましくは、前記前面板３には操作パネル１９が設置される。前記操作パネル１９は前面板の上部に設置され、ユーザが制御命令を入力するために用いられる。
【０１０７】
好ましくは、前記前面板３には取っ手２が設置される。
【０１０８】
本実施例の上カバープレート１６における前面板寄りの２つの夾角スペースには、例えば、洗剤投入ケース１７、柔軟剤投入ケース１８といった衣類処理剤投入ケースが設けられている。且つ、内槽２１又は外槽２０と連通するホースを有している。
【０１０９】
本実施例のハウジングには電磁石３０に接続される給水口７が備わっており、給水管３２を通じて前記処理剤投入ケースと連通している。
【０１１０】
本実施例のハウジングには、排水管２８を床排水口に接続する排水口８が備わっている。この部分は、排水管２８を通じて排水ポンプ２９に接続され、排水ホース２６を通じて外槽２０と連通している。
【０１１１】
洗浄ユニットは、度々押し込んだり引き出したりして衣類の出し入れを行う必要がある。そのため、引き出す過程で給水管路、排水管路、及び各接続回路が損傷しないよう保証すべく、本実施例では以下の技術方案を採用する。
【０１１２】
本実施例の前記ハウジングには給水電磁弁が設置されている。給水電磁弁は、給水管路を通じて洗浄ユニットと連通する。前記洗濯機は、洗浄ユニットを押し引きする過程で給水管路を保護するための第１連動保護体を含む。第１連動保護体は、一端がハウジングに接続されており、他端が洗浄ユニットに接続されている。また、第１連動保護体の内部には、給水管路を収容する収容経路が備わっている。
【０１１３】
好ましくは、洗濯機は、操作パネルに電気供給するための電源コードを含む。また、前記電磁弁と操作パネルは接続コードを介して電気的に接続される。前記電源コード及び／又は接続コードは、第１連動保護体内部の収容経路内に設置されている。
【０１１４】
本実施例の前記洗浄ユニットには排水口が備わっている。排水口は、排水管路を通じて排水制御装置と連通する。また、前記洗濯機は、洗浄ユニットを押し引きする過程で排水管路を保護するための第２連動保護体を含む。第２連動保護体は、一端がハウジングに接続されており、他端が洗浄ユニットに接続されている。また、第２連動保護体の内部には、排水管路を収容する収容経路が備わっている。
【０１１５】
好ましくは、洗濯機は外槽の底部に装着される駆動装置を含む。前記駆動装置と操作パネルは接続コードを介して電気的に接続される。前記接続コードは、第２連動保護体内部の収容経路内に設置されている。
【０１１６】
更に、本実施例の前記ハウジングには、洗浄ユニットが収容室へ押し込まれて所定の位置に到達したか否かを感知する検出装置１２が装着されている。
【０１１７】
好ましくは、前記検出装置１２は光電センサスイッチ又はリードスイッチである。
【０１１８】
本実施例におけるセンサスイッチは、洗浄ユニットが閉じられて所定の位置に到達することを確実に保証し、所定の位置に到達していない場合には洗濯プログラムを実行しないか、警告を発する。
【０１１９】
更に、本実施例の前記洗浄ユニットにはドアロックが備わっており、前記ハウジングにはロックキャッチ１３が設置されている。前記ドアロックとロックキャッチ１３は、洗浄ユニットが収容室に押し込まれたあとにロックされる。本実施例のドアロック構造が起動すると、洗浄ユニット全体が電磁ドアロックによってハウジングに対し一体的にロックされる。これにより、振動が効果的に低減し、スライドレールの寿命が延びる。
【０１２０】
本実施例におけるハウジング５の底部には、引き出し式洗濯機全体を支持及びレベリングし、動作の安定性を確保するために、支持底脚４が備わっている。
【０１２１】
本実施例のハウジング５は、全体の強度を強化するために押し型６を有している。また、ハウジング５は、上部パネル１を有しており、前方に開口を有している。前記開口には、洗浄ユニットを設置して出し入れすることが可能である。
【０１２２】
本実施例の引き出し式洗濯機の全体高さは６０ｃｍよりも小さい。また、好ましくは５０ｃｍ以下であり、より好ましくは４０ｃｍ以下である。本実施例の引き出し式洗濯機は、従来のパルセータ洗濯機におけるトップオープン方式を変更することで、全体高さを大幅に低下可能としている。これにより、設置スペースに対する要求が更に低下するほか、規格サイズのより小さい小型洗濯機を形成可能となり、分別洗いが実現される。
【実施例２】
【０１２３】
図１〜図８に示すように、本実施例の引き出し式洗濯機はハウジング５と洗浄ユニットを含む。前記ハウジング５の内部には収容室が備わっており、ハウジングの一方の側の側壁には開口が開設されている。前記洗浄ユニットはハウジングの内部の収容室内に装着されており、且つ、ハウジングの開口に対し押し入れ／引き出し可能である。
【０１２４】
更に、両端がそれぞれハウジング５と洗浄ユニットに接続される連動保護体を含む。連動保護体の内部には、洗浄ユニットと連通する水路及び／又は洗浄ユニットの電子部品に電気的に接続される電気回路を収容するための収容経路が備わっている。
【０１２５】
本実施例の引き出し式洗濯機では、洗浄ユニットを度々押し込んだり引き出したりして衣類の出し入れを行う必要がある。そのため、洗浄ユニットと連通する水路、及び／又は、洗浄ユニットの電子部品に電気的に接続される電気回路が引き出し過程で損傷しないよう保証するために、本実施例では、内部に収容経路を有する連動保護体を採用する。連動保護体は、洗浄ユニットの押し引き過程に伴い連動することで、洗浄ユニットと連通する水路、及び／又は、洗浄ユニットの電子部品に電気的に接続される電気回路の接続の安定性を保証する。
【０１２６】
本実施例の一実施形態として、前記連動保護体はケーブルドラッグチェーン構造をなしており、ケーブルドラッグチェーン構造の内部に収容経路が備わっている。前記水路又は電気回路は、ケーブルドラッグチェーン構造の内部の収容経路内に設置されている。
【０１２７】
具体的に、本実施例で記載する洗浄ユニットは、貯水に用いられる外槽２０を含む。また、前記ハウジング５には給水電磁弁３０が設置されている。給水電磁弁３０は、給水管路３２を通じて外槽２０と連通する。前記連動保護体は、洗浄ユニットを押し引きする過程で給水管路３２を保護するための第１連動保護体３１を含む。また、第１連動保護体３１の内部には、給水管路を収容する収容経路が備わっている。
【０１２８】
本実施例の前記洗浄ユニットは、装着フレーム１１と前面板３を含んでいる。前面板３は装着フレーム１１に装着されており、洗浄ユニットをハウジング内部の収容室に押し込んだあと、収容室の開口を閉塞する。また、前記前面板３には操作パネル１９が設置されている。
【０１２９】
洗濯機は、操作パネルに電気供給するための電源コードを含む。また、前記電磁弁３０と操作パネル１９は接続コードを介して電気的に接続される。前記電源コード及び／又は接続コードは、第１連動保護体３１の内部の収容経路内に設置されている。
【０１３０】
本実施例で記載する洗浄ユニットは、貯水に用いられる外槽２０を含む。外槽２０の底には排水口が備わっており、排水口は排水管路２６を通じて排水制御装置と連通する。前記連動保護体は、洗浄ユニットを押し引きする過程で排水管路を保護するための第２連動保護体２４を含む。また、第２連動保護体２４の内部には、排水管路２６を収容する収容経路が備わっている。
【０１３１】
本実施例の引き出し式洗濯機は、外槽２０の底部に装着される駆動装置２２を含む。前記駆動装置２２と操作パネル１９は接続コードを介して電気的に接続される。前記接続コードは、第２連動保護体２４の内部の収容経路内に設置されている。
【０１３２】
本実施例の水路、管路、及び電気回路、回路は、いずれもケーブルドラッグチェーン構造内に設置される。
【０１３３】
これにより、給水・排水管路や駆動制御回路２７、信号線の退避スペースが大幅に縮小されるため、スペース及びコストを効果的に節約可能となり、洗浄ユニットの容積を効果的に増加させられる。
【０１３４】
よって、ユーザが、唐突に、激しく、高速且つ長いストロークで全方向に洗浄ユニットを引き動かしたとしても、前記パイプライン（排水管路、駆動制御回路、信号線）は緩やかに案内されるため、電線／給水管／排水管の寿命が大幅に延びる。
【０１３５】
好ましくは、ホースや管路を引き延ばして設置した場合に１５％の余剰スペースが残るようにすべきである。これにより、内部に設置されるケーブルやホース等を自在に動作可能とし、半径方向においてケーブルドラッグチェーンに引張力が生じないようにする。
【０１３６】
本実施例の一実施形態として、前記ハウジング５の収容室内には、連動保護体を予め定められた軌跡に従って動作させるよう案内する案内機構が設けられている。
【０１３７】
具体的に、前記案内機構は、洗浄ユニットの引き出し方向に設置されるガイドレール３８である。前記ガイドレールには案内溝が備わっている。また、前記連動保護体はケーブルドラッグチェーンである。ケーブルドラッグチェーンの一端は固定端４０となっており、固定端４０はハウジング５に固定装着されている。また、他端は可動端３９となっており、可動端３９にガイドポスト３７が接続されている。前記ガイドポスト３７は、摺動可能にガイドレール３８の案内溝内に設置されて、洗浄ユニットの押し引きに伴い直線状に往復運動する。
【０１３８】
本実施例の案内構造は、第１連動保護体３１及び／又は第２連動保護体２４に設置可能である。
【０１３９】
本実施例の一実施形態として、前記連動保護体は、可撓性材料からなる弾性の管状構造をなしており、管状構造の内部に収容経路が備わっている。前記水路又は電気回路は、ケーブルドラッグチェーン構造の内部の収容経路内に設置されている。
【０１４０】
本実施例の一実施形態として、前記連動保護体は伸縮管構造をなしており、伸縮管構造の内部に収容経路が備わっている。前記水路又は電気回路は、ケーブルドラッグチェーン構造の内部の収容経路内に設置されている。
【実施例３】
【０１４１】
図１〜図１３に示すように、本実施例の洗濯機用制震装置３６は、一端に第１接続構造４４を有するプランジャ４７と、内部に一端が開口した中空室を有し、前記プランジャ４７の他端が相対的に摺動可能に中空室内に嵌設され、中空室の開口とは反対側の一端に第２接続構造５３を有するスリーブ５０と、プランジャ４７の外部に覆設される第１制震バネ４８と、スリーブ５０の外部に覆設される第２制震バネ５１と、摺動可能にプランジャ４７／スリーブ５０の外部に覆設されるとともに、第１制震バネ４８と第２制震バネ５１の間に位置するスライドスリーブ４９、を含む。
【０１４２】
本実施例の制震装置３６は、第１制震バネ４８と第２制震バネ５１を含んでおり、小さな衝撃を受けた場合には、第１制震バネ４８が圧縮されて制震調節を行う。また、大きな衝撃を受けた場合には、第１制震バネ４８と第２制震バネ５１が共に圧力を受けて制震調節を行う。本実施例の制震装置３６には支持制震方式を採用しており、第１制震バネ４８と第２制震バネ５１の制震調節によって制震効果を保証する。
【０１４３】
更に、本実施例で記載するプランジャ４７における第１接続構造４４寄りの一端には第１ブラケット４６が設けられており、前記スリーブ５０における第２接続構造５３寄りの一端には第２ブラケット５２が設けられている。また、前記スライドスリーブ４９は、周方向において外側に突出する位置規制凸部を有している。前記第１制震バネ４８の一端は第１ブラケット４６に当止し、他端は位置規制凸部に当止する。また、前記第２制震バネ５１の一端は第２ブラケット５２に当止し、他端は位置規制凸部に当止する。
【０１４４】
具体的に、前記プランジャ４７における第１接続構造４４寄りの一端には位置規制突起が備わっている。また、第１ブラケット４６は環状のフランジであり、第１ブラケット４６の中心には位置規制凹溝４５が備わっている。第１ブラケット４６の位置規制凹溝４５がプランジャ４７の位置規制突起と係合することで、第１ブラケットの位置規制及び装着が実現される。
【０１４５】
前記第２ブラケット５２は、スリーブ５０における第２接続構造５３寄りの一端の外周から外側に突出して形成される環状のフランジである。
【０１４６】
本実施例の一実施形態として、前記第１制震バネ４８と第２制震バネ５１は異なる弾性係数を有する。
【０１４７】
好ましくは、前記第１接続構造４４は被支持制震体に接続され、前記第２接続構造５３は固定支持体に接続される。また、前記第１制震バネ４８の弾性係数は第２制震バネ５１の弾性係数よりも小さい。
【０１４８】
本実施例の一実施形態として、前記スリーブ５０の中空室内には摩擦片５４が設置されている。前記プランジャ４７の一端は、スリーブ５０の中空室内に嵌設されて摩擦片５４と接触を維持する。
【０１４９】
更に、前記摩擦片５４は環状の摩擦片である。前記スリーブの中空室内には、軸方向に沿って複数の環状の摩擦片が均一に設置されている。
【０１５０】
本実施例の一実施形態として、前記スライドスリーブ４９内には、プランジャ４７／スリーブ５０の外壁と接触を維持する摩擦片５４が設置されている。
【０１５１】
本実施例の一実施形態として、前記第１接続構造４４はプランジャ４７の一端の端部に設けられる接続ネジであり、接続ネジとナットの連携によってプランジャを被支持制震体に固定接続する。
【０１５２】
前記第２接続構造５３はスリーブ５０の一端の端部に設けられる接続ネジであり、接続ネジとナットの連携によってスリーブを固定支持体に固定接続する。
【０１５３】
本実施例の制震装置は、外槽２０とハウジング５を固定するための第１接続構造４４と第２接続構造５３を有している。
【０１５４】
制震装置のプランジャとスリーブの間には摩擦片が設置されており、摩擦片とプランジャの往復運動時の摩擦力によって減衰制震が行われる。
【０１５５】
制震バネは主なエネルギー蓄積ユニットであり、振動時の運動エネルギーをバネの弾性位置エネルギーに変換することで、振動エネルギーを緩衝するとともに、振動時の往復運動を提供する。前記制震バネは、直列に設置される第１制震バネ４８と第２制震バネ５１である。
【０１５６】
スリーブの底部には第２ブラケットが備わっており、スリーブの中央にはスライドスリーブが備わっている。工具を利用して第１制震バネ４８を第２ブラケットに配置したあと、スライドスリーブを配置してから、更にその上に第２制震バネ５１を配置し、工具により圧力を加えて収縮させる。第１ブラケットは配設溝を有しており、且つ幅がプランジャの直径よりも大きくなっている。よって、工具を取り除くと、第１制震バネ４８の回復力によって完全な組み付けが実現される。
【０１５７】
高速で安定的な脱水を行っているときには、小さな衝撃力及び小さな振幅の振動によって、第１制震バネ４８の振動のみがエネルギー蓄積ユニットとして実現され得る。また、このときの小さな摩擦減衰力はプランジャと摩擦片との摩擦力である。一方、脱水が突如として高速となった場合には、大きな衝撃力及び大きな振幅の振動によって、第１制震バネ４８と第２制震バネ５１の振動が実現され得、第１制震バネ４８と第２制震バネ５１が共にエネルギー蓄積ユニットとなって制震する。このときの大きな摩擦減衰力は、プランジャと摩擦片との摩擦力＋スリーブとスライドスリーブとの摩擦力であるため、効果的な制震が可能となる。これにより、洗濯機の安定的な動作が実現され、振動及び振動に伴い発生する騒音が小さくなる。
【０１５８】
なお、バネアセンブリをスリーブ内等に設置することが連想され得る。
【実施例４】
【０１５９】
図１〜図８、図１４〜図１７に示すように、本実施例の洗濯機用制震装置３６は、一端に第１接続構造４４を有するプランジャ４７と、内部に一端が開口した中空室を有し、前記プランジャ４７の他端が相対的に摺動可能に中空室内に嵌設され、中空室の開口とは反対側の一端に第２接続構造５３を有するスリーブ５０と、プランジャ４７の外部に覆設される第１制震バネ４８と、スリーブ５０の外部に覆設される第２制震バネ５１と、摺動可能にプランジャ４７／スリーブ５０の外部に覆設されるとともに、第１制震バネ４８と第２制震バネ５１の間に位置するスライドスリーブ４９、を含む。
【０１６０】
前記第１制震バネ４８と第２制震バネ５１は、全体の高さを短縮するよう部分的に重なり合っている。
【０１６１】
本実施例の制震装置３６は、第１制震バネ４８と第２制震バネ５１を含んでおり、小さな衝撃を受けた場合には、第１制震バネ４８が圧縮されて制震調節を行う。また、大きな衝撃を受けた場合には、第１制震バネ４８と第２制震バネ５１が共に圧力を受けて制震調節を行う。本実施例の制震装置３６には支持制震方式を採用しており、第１制震バネ４８と第２制震バネ５１の制震調節によって制震効果を保証する。
【０１６２】
本実施例の一実施形態として、本実施例で記載する洗濯機用制震装置では、前記スライドスリーブ４９に、第１制震バネ４８の一端を当止する第１位置規制部と、第２制震バネ５１の一端を当止する第２位置規制部が備わっている。前記第１位置規制部は、第２制震バネの軸方向の高さ範囲内まで延伸しており、前記第２位置規制部は、第１制震バネの軸方向の高さ範囲内まで延伸している。
【０１６３】
更に、前記第１制震バネ４８は第２制震バネ５１の上部に設置されており、前記第１位置規制部の高さは第２位置規制部の高さよりも低い。
【０１６４】
具体的に、本実施例で記載する第１位置規制部は、スライドスリーブの中央部に設置されて第２制震バネの内部に向かって延伸するよう形成される位置規制室であり、前記第１制震バネの一端が前記位置規制室内に当止する。また、前記第２位置規制部は、位置規制室の開口の辺縁から周方向に延伸するよう形成される位置規制フランジであり、前記第２制震バネの一端が前記位置規制フランジに当止する。
【０１６５】
本実施例のスライドスリーブ４９の構造設計によれば、第１制震バネ４８と第２制震バネが一定の重なり合う空間距離Ｈを有しているため、制震のための全体高さをＨ分だけ小さくできる。これにより、制震器の高さを効果的に小さくできるため、装着しやすく、洗濯機の装着スペースの問題が解消される。
【０１６６】
本実施例の一実施形態として、前記第１制震バネ４８と第２制震バネ５１は異なる弾性係数を有する。
【０１６７】
好ましくは、前記第１制震バネ４８の外径は第２制震バネ５１の内径よりも小さい。
【０１６８】
好ましくは、前記第１接続構造は被支持制震体に接続され、前記第２接続構造は固定支持体に接続される。また、前記第１制震バネの弾性係数は第２制震バネの弾性係数よりも小さい。
【０１６９】
本実施例の一実施形態として、前記プランジャ４７とスリーブ５０の中空室の開口は間隔を隔てて設置される。これにより、制震装置の一定の度合での左右への揺動が実現されるため、水平方向に一定の調節作用が備わる。
【０１７０】
本実施例の一実施形態として、前記プランジャ４７のうち中空室の内部に位置する一端には摩擦片５４が設置されている。前記摩擦片は、スリーブの中空室の内壁と接触を維持する。
【０１７１】
本実施例の一実施形態として、前記スライドスリーブ４９内には、プランジャ／スリーブの外壁と接触を維持するスライドスリーブ摩擦片５４が設置されている。
【０１７２】
本実施例の制震装置は、外槽２０とハウジング５を固定するための第１接続構造４４と第２接続構造５３を有している。
【０１７３】
制震装置のプランジャとスリーブの間には摩擦片が設置されており、摩擦片とプランジャの往復運動時の摩擦力によって減衰制震が行われる。
【０１７４】
制震バネは主なエネルギー蓄積ユニットであり、振動時の運動エネルギーをバネの弾性位置エネルギーに変換することで、振動エネルギーを緩衝するとともに、振動時の往復運動を提供する。前記制震バネは、直列に設置される第１制震バネ４８と第２制震バネ５１である。
【０１７５】
スリーブの底部には第２ブラケットが備わっており、スリーブの中央にはスライドスリーブが備わっている。工具を利用して第１制震バネ４８を第２ブラケットに配置したあと、スライドスリーブを配置してから、更にその上に第２制震バネ５１を配置し、工具により圧力を加えて収縮させる。第１ブラケットは配設溝を有しており、且つ幅がプランジャの直径よりも大きくなっている。よって、工具を取り除くと、第１制震バネ４８の回復力によって完全な組み付けが実現される。
【０１７６】
高速で安定的な脱水を行っているときには、小さな衝撃力及び小さな振幅の振動によって、第１制震バネ４８の振動のみがエネルギー蓄積ユニットとして実現され得る。また、このときの小さな摩擦減衰力はプランジャと摩擦片との摩擦力である。一方、脱水が突如として高速となった場合には、大きな衝撃力及び大きな振幅の振動によって、第１制震バネ４８と第２制震バネ５１の振動が実現され得、第１制震バネ４８と第２制震バネ５１が共にエネルギー蓄積ユニットとなって制震する。このときの大きな摩擦減衰力は、プランジャと摩擦片との摩擦力＋スリーブとスライドスリーブとの摩擦力であるため、効果的な制震が可能となる。これにより、洗濯機の安定的な動作が実現され、振動及び振動に伴い発生する騒音が小さくなる。
【０１７７】
なお、バネアセンブリをスリーブ内等に設置することが連想され得る。
【実施例５】
【０１７８】
図１〜図８、図１８〜図２０に示すように、本実施例の洗濯機用制震装置３６は、一端に第１接続構造４４を有し、他端にスライドプラグを有するプランジャ４７と、内部に一端が開口した中空室を有し、前記プランジャ４７のスライドプラグが相対的に摺動可能に中空室内に設置され、中空室の開口とは反対側の一端に第２接続構造５３を有するスリーブ４９と、中空室内に位置するプランジャ４７の外部に覆設される第１制震バネ４８と、スリーブ４９の中空室内に嵌装される第２制震バネ５１、を含む。
【０１７９】
第１制震バネ４８と第２制震バネ５１は、それぞれプランジャ４７のスライドプラグの両側に位置している。
【０１８０】
本実施例の制震装置３６には支持制震方式を採用しており、第１制震バネ４８と第２制震バネ５１が直列に接続されて制震調節を行うことで制震効果を保証する。
【０１８１】
本実施例の一実施形態として、前記スライドプラグは、プランジャ４７のうちスリーブ４９の中空室内に位置する一端の端部に設置されている。スライドプラグは、スリーブ４９の中空室の内壁と摺接する。
【０１８２】
前記第１制震バネ４８は、中空室内に位置するプランジャ４７の外部に覆設されており、一端がスリーブ４９の中空室の内壁に当止するとともに、他端がスライドプラグの一方の側に当止する。
【０１８３】
前記第２制震バネ５１は、スリーブ４９の中空室内に嵌装されており、一端がスリーブの中空室の内壁に当止するとともに、他端がスライドプラグの他方の側に当止する。
【０１８４】
更に、前記プランジャは柱体を含む。柱体の一端の端部には第１接続構造が備わっており、他端にはスライドプラグが接続されている。前記スリーブは、一端が開放された中空室を内部に有する筒体５５と、中空室の開放された開口を覆う蓋体５６を含む。前記蓋体５６の中央部には、プランジャの柱体を挿通するための挿通孔が備わっている。
【０１８５】
好ましくは、前記柱体と前記挿通孔は間隔を隔てて設置される。
【０１８６】
更に、前記蓋体５６のうちスリーブ４９の中空室内に位置する一方の側面には位置規制凹溝５７が備わっており、前記第１制震バネ４８の一端が当該位置規制凹溝５７内に位置規制及び当止される。
【０１８７】
更に、前記筒体５５の中空室の内側の底壁には位置規制凹溝５７が備わっており、第２制震バネ５１の一端が当該位置規制凹溝５７内に位置規制及び当止される。
【０１８８】
本実施例の一実施形態として、前記第１接続構造４４は柱体の一端の端部に設けられる接続ネジであり、接続ネジとナットの連携によってプランジャを被支持制震体に固定接続する。
【０１８９】
前記第２接続構造５３はスリーブの一端の端部に設けられる接続ネジであり、接続ネジとナットの連携によってスリーブを固定支持体に固定接続する。
【０１９０】
本実施例の一実施形態として、前記スライドプラグの外周には、スリーブの中空室の内壁と接触を維持する摩擦片が設置されている。
【０１９１】
本実施例の一実施形態として、前記第１制震バネと第２制震バネは異なる弾性係数を有する。
【０１９２】
好ましくは、前記第１接続構造は被支持制震体に接続され、前記第２接続構造は固定支持体に接続される。また、前記第１制震バネの弾性係数は第２制震バネの弾性係数よりも小さい。
【０１９３】
本実施例における制震装置の第２制震バネ５１は、重力を支持する作用と、下向きの衝撃力を吸収する作用を奏する。第１制震バネ４８は、プランジャ４７の上向きの運動を規制する作用と、上向きの衝撃力を吸収する作用を奏する。スリーブとプランジャの間には一定の隙間ｈが設けられているため、制震器の一定の度合での左右への揺動が実現される。本実施例の制震装置は効果的な制震が可能なため、洗濯機の安定的な動作が実現されるとともに、震動及び震動に伴って発生する騒音が小さくなる。
【実施例６】
【０１９４】
図１〜図８、図２１〜図２３に示すように、本実施例の洗濯機用制震装置３６は、一端に第１接続構造４４を有するプランジャ４７と、内部に一端が開口した中空室を有し、前記プランジャ４７の他端が相対的に摺動可能に中空室内に設置され、中空室の開口とは反対側の一端に第２接続構造５３を有するスリーブ４９と、プランジャ４７の外部に覆設され、両端がそれぞれプランジャ４７及びスリーブ４９に当止する第１制震バネ４８と、スリーブ４９の中空室内に嵌装される第２制震バネ５１、を含む。
【０１９５】
本実施例の一実施形態として、前記プランジャ４７のうち前記スリーブ４９の中空室内に位置する一端にはスライドプラグが設置されている。
【０１９６】
前記第２制震バネ５１は、中空室内に位置するプランジャ４７の外部に覆設されており、一端がスリーブ４９の中空室の内壁に当止するとともに、他端がスライドプラグの一方の側に当止する。
【０１９７】
及び／又は、前記第２制震バネ５１は、スリーブの中空室内に嵌装されており、一端がスリーブ４９の中空室の内壁に当止するとともに、他端がスライドプラグの他方の側に当止する。
【０１９８】
本実施例の一実施形態として、前記プランジャは柱体を含む。柱体の一端の端部には第１接続構造が備わっており、他端にはスライドプラグが接続されている。前記スリーブは、一端が開放された中空室を内部に有する筒体と、中空室の開放された開口を覆う蓋体を含む。前記蓋体の中央部には、プランジャの柱体を挿通するための挿通孔が備わっている。
【０１９９】
好ましくは、前記柱体と前記挿通孔は間隔を隔てて設置される。
【０２００】
本実施例の一実施形態として、前記スライドプラグの外周には、スリーブの中空室の内壁と接触を維持する摩擦片が設置されている。
【０２０１】
本実施例の一実施形態として、前記プランジャにおける第１接続構造寄りの一端には第１ブラケットが設置されており、前記スリーブにおける第２接続構造寄りの一端には第２ブラケットが設置されている。前記第１制震バネの一端は第１ブラケットに当止し、他端は第２ブラケットに当止する。
【０２０２】
本実施例の一実施形態として、前記プランジャにおける第１接続構造寄りの一端には位置規制突起が備わっている。また、第１ブラケットは環状のフランジであり、第１ブラケットの中心には位置規制凹溝が備わっている。第１ブラケットの位置規制凹溝がプランジャの位置規制突起と係合することで、第１ブラケットの位置規制及び装着が実現される。
【０２０３】
前記第２ブラケットは、スリーブにおける第２接続構造寄りの一端の外周から外側に突出して形成される環状のフランジである。
【０２０４】
本実施例の一実施形態として、前記第１制震バネと第２制震バネは異なる弾性係数を有する。
【０２０５】
好ましくは、前記第１接続構造は被支持制震体に接続され、前記第２接続構造は固定支持体に接続される。また、前記第１制震バネの弾性係数は第２制震バネの弾性係数よりも大きい。
【０２０６】
本実施例の制震装置は、外槽２０とハウジング５を固定するための第１接続構造４４と第２接続構造５３を有している。
【０２０７】
制震装置のプランジャとスリーブの間には摩擦片が設置されており、摩擦片とプランジャの往復運動時の摩擦力によって減衰制震が行われる。
【０２０８】
制震バネは主なエネルギー蓄積ユニットであり、振動時の運動エネルギーをバネの弾性位置エネルギーに変換することで、振動エネルギーを緩衝するとともに、振動時の往復運動を提供する。前記制震バネは、直列に設置される第１制震バネ４８と第２制震バネ５１である。
【０２０９】
本実施例のスリーブ４９は蓋体５６を有する。また、摩擦片５４と蓋体５６の間のスリーブには第１制震バネ４８が設置されており、外槽の大きな上向きの衝撃力を防止する。これにより、プランジャ４７又は制震装置の伸長方向に位置規制機能が備わるため、制震装置が接続された外槽の大幅な運動が防止される。且つ、スリーブには第２ブラケットが備わっている。工具を利用して第２制震バネ５１を第２ブラケットに配置したあと、工具により圧力を加えることで収縮させる。また、第１ブラケットは配設溝を有しており、且つ幅がプランジャの直径よりも大きくなっている。よって、工具を取り除くと、第１制震バネ４８の回復力によって完全な組み付けが実現される。好ましくは、プランジャがブラケットの係合溝と係合する構造を有して、ぐらつき及び振動を防止する。
【０２１０】
第１制震バネ４８は、重力を支持する作用と、下向きの衝撃力を吸収する作用を奏するとともに、位置規制機能を有するため、プランジャが際限なく圧縮されてスリーブ内に進入するとの事態が防止される。
【０２１１】
スリーブとプランジャの間には一定の隙間ｈが設けられているため、制震器の一定の度合での左右への揺動が実現される。
【０２１２】
本実施例の制震装置はスリーブの内外にバネを設置しているため、制震器の長さが小さくなる一方、機能は低下しない。これにより、洗濯機のハウジング内部のスペースを効果的に増加させられる。また、効果的な制震が可能となるため、洗濯機の安定的な動作が実現されるとともに、振動及び振動に伴い発生する騒音が小さくなる。
【０２１３】
以上は本発明の好ましい実施例にすぎず、本発明を何らかの形式に制限するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる任意の簡単な修正、同等の変形及び補足は、いずれも本発明の方案の範囲に属する。
【図１】
2021533921.tif 000003
【図２】
2021533921.tif 000004
【図３】
2021533921.tif 000005
【図４】
2021533921.tif 000006
【図５】
2021533921.tif 000007
【図６】
2021533921.tif 000008
【図７】
2021533921.tif 000009
【図８】
2021533921.tif 000010
【図９】
2021533921.tif 000011
【図１０】
2021533921.tif 000012
【図１１】
2021533921.tif 000013
【図１２】
2021533921.tif 000014
【図１３】
2021533921.tif 000015
【図１４】
2021533921.tif 000016
【図１５】
2021533921.tif 000017
【図１６】
2021533921.tif 000018
【図１７】
2021533921.tif 000019
【図１８】
2021533921.tif 000020
【図１９】
2021533921.tif 000021
【図２０】
2021533921.tif 000022
【図２１】
2021533921.tif 000023
【図２２】
2021533921.tif 000024
【図２３】
2021533921.tif 000025
【国際調査報告】
2021533921.tif 000026
2021533921.tif 000027
2021533921.tif 000028
2021533921.tif 000029
2021533921.tif 000030
2021533921.tif 000031